(57)【要約】【課題】電気通信路と光通信路とを結合する光電変換モジュール及び高速伝送用コネクタに関し、小型化が可能な光電変換モジュール及び高速伝送用コネクタを提供することを目的とする。【解決手段】本発明は、電気通信路が結合される電気コネクタと、電気通信路から電気コネクタに供給された電気信号を光通信路に供給する光信号に変換するとともに、光通信路から供給された光信号を電気コネクタから電気通信路に供給する電気信号に変換する変換手段が搭載された回路基板と、変換手段と光通信路とを結合する光導波路とを有し、回路基板は１枚の基板から構成され、電気コネクタ、及び、光導波路は回路基板に搭載されていることを特徴とする。【選択図】図３
2008015264.tif 000002
【特許請求の範囲】
【請求項１】
電気通信路が結合される電気コネクタと、
前記電気通信路から前記電気コネクタに供給された電気信号を光通信路に供給する光信号に変換するとともに、前記光通信路から供給された光信号を前記電気コネクタから前記電気通信路に供給する電気信号に変換する変換手段が搭載された回路基板と、
前記変換手段と前記光通信路とを結合する光導波路とを有し、
前記回路基板は、１枚の基板から構成され、
前記電気コネクタ、及び、前記光導波路は、前記回路基板に搭載されていることを特徴とする光電変換モジュール。
【請求項２】
前記電気コネクタ、及び、前記導波路、並びに、前記変換手段は、前記回路基板の一面に搭載されていることを特徴とする請求項１記載の光電変換モジュール。
【請求項３】
前記変換手段を制御するマイコン、及び、前記変換手段に電源を供給する電源回路を有し、
前記マイコン及び前記電源回路は、前記回路基板の他面に搭載されていることを特徴とする請求項２記載の光電変換モジュール。
【請求項４】
前記変換手段は、発光素子、前記電気コネクタからの電気信号に基づいて前記発光素子を駆動するドライバＩＣ、受光素子、前記受光素子からの電気信号を増幅するレシーバＩＣを含み、
前記発光素子と前記ドライバＩＣとは前記回路基板上で互いに近接して配置され、
前記受光素子と前記レシーバＩＣとは前記回路基板上で互いに近接して配置されていることを特徴とする請求項１記載の光電変換モジュール。
【請求項５】
前記発光素子は、面発光ダイオードから構成され、前記回路基板に直交する方向に光を出射するように前記回路基板に搭載され、
前記受光素子は、前記回路基板に直交する方向からの光を受光し、電気信号に変換するように前記回路基板に搭載され、
前記導波路は、前記発光素子及び前記受光素子に対向するように配置され、前記発光素子から前記回路基板に直交する方向に出射した光を前記回路基板に平行となるように導くとともに、前記回路基板に平行して入射した光を前記回路基板に直交する方向に導き前記受光素子に照射することを特徴とする請求項４記載の光電変換モジュール。
【請求項６】
前記発光素子は、複数の発光部を配列した構成とされており、
前記受光素子は、複数の受光部を配列した構成とされており、
前記発光素子及び前記受光素子は、前記複数の発光部と前記複数の受光部とが前記回路基板上に配置された構成とされていることを特徴とする請求項４記載の光電変換モジュール。
【請求項７】
前記ドライバＩＣは、前記複数の発光部と前記複数の受光部とからなる列の一方の側に配置され、
前記レシーバＩＣは、前記複数の発光部と前記複数の受光部との列の他方の側に配置されていることを特徴とする請求項４記載の光電変換モジュール。
【請求項８】
前記ドライバＩＣ及び前記レシーバＩＣは、ベアチップから構成され、前記回路基板にワイヤボンディングされた構成とされていることを特徴とする請求項４記載の光電変換モジュール。
【請求項９】
前記発光素子、前記ドライバＩＣ、及び、前記受光素子、前記レシーバＩＣは、前記回路基板と前記導波路との間に配置され、前記回路基板と前記導波路との間に封入される樹脂によって封止されることを特徴とする請求項８記載の光電変換モジュール。
【請求項１０】
前記導波路は、前記回路基板上に直接載置され、位置決めされ、固定されることを特徴とする請求項１記載の光電変換モジュール。
【請求項１１】
前記請求項１乃至１０のいずれか一項記載の光電変換モジュールを搭載したことを特徴とする高速伝送用コネクタ。
【発明の詳細な説明】
【技術分野】
【０００１】
本発明は光電変換モジュール及び高速伝送用コネクタに係り、特に、電気通信路と光通信路とを結合する光電変換モジュール及び高速伝送用コネクタに関する。
【背景技術】
【０００２】
従来、１０ＧＦＣ、１０ＧＢＡＳＥ−ＣＸ４などの規格に世界標準インタフェースとして採用されている伝送路は、伝送距離が２０ｍ程度と短距離であるなどの制約があった。
【０００３】
そこで、これらのインタフェースを用いた高速伝送路と光伝送路とを組み合わせることによって、伝送距離を長くする手法が提案されている。
【発明の開示】
【発明が解決しようとする課題】
【０００４】
しかしながら、従来の光通信用のトランシーバなどに搭載される光電変換手段は、大型で、また、高価であった。このため、光電変換手段をモジュール化して、小型化することが望まれていた。
【０００５】
本発明は上記の点に鑑みてなされたもので、小型化が可能な光電変換モジュール及び高速伝送用コネクタを提供することを目的とする。
【課題を解決するための手段】
【０００６】
本発明は、電気通信路が結合される電気コネクタと、電気通信路から電気コネクタに供給された電気信号を光通信路に供給する光信号に変換するとともに、光通信路から供給された光信号を電気コネクタから電気通信路に供給する電気信号に変換する変換手段が搭載された回路基板と、変換手段と光通信路とを結合する光導波路とを有し、回路基板は１枚の基板から構成され、電気コネクタ、及び、光導波路は回路基板に搭載されていることを特徴とする。
【０００７】
また、本発明は、電気コネクタ、及び、導波路、並びに、変換手段が回路基板の一面に搭載されていることを特徴とする。
【０００８】
さらに、本発明は、変換手段を制御するマイコン、及び、前記変換手段に電源を供給する電源回路を有し、マイコン及び電源回路が回路基板の他面に搭載されていることを特徴とする。
【０００９】
また、本発明の変換手段は、発光素子、電気コネクタからの電気信号に基づいて発光素子を駆動するドライバＩＣ、受光素子、受光素子からの電気信号を増幅するレシーバＩＣを含み、発光素子とドライバＩＣとは回路基板上で互いに近接して配置され、受光素子とレシーバＩＣとは回路基板上で互いに近接して配置されていることを特徴とする。
【００１０】
さらに、本発明は、発光素子は面発光ダイオードから構成され、回路基板に直交する方向に光を出射するように回路基板に搭載され、受光素子は回路基板に直交する方向からの光を受光し、電気信号に変換するように回路基板に搭載され、導波路は発光素子及び受光素子に対向するように配置され、発光素子から回路基板に直交する方向に出射した光を回路基板に平行となるように導くとともに、回路基板に平行して入射した光を回路基板に直交する方向に導き受光素子に照射することを特徴とする。
【００１１】
発光素子は、複数の発光部を配列した構成とされており、受光素子は、複数の受光部を配列した構成とされており、発光素子及び受光素子は複数の発光部と複数の受光部とが回路基板上に配置された構成とされていることを特徴とする。
【００１２】
ドライバＩＣは複数の発光部と複数の受光部とからなる列の一方の側に配置され、レシーバＩＣは複数の発光部と複数の受光部との列の他方の側に配置されていることを特徴とする。
【００１３】
また、本発明は、ドライバＩＣ及びレシーバＩＣはベアチップから構成され、回路基板にワイヤボンディングされた構成とされていることを特徴とする。
【００１４】
さらに、本発明は、発光素子ドライバＩＣ、及び、受光素子、レシーバＩＣは回路基板と導波路との間に配置され、回路基板と導波路との間に封入される樹脂によって封止されることを特徴とする。
【００１５】
本発明の導波路は回路基板上に直接載置され、位置決めされ、固定されることを特徴とする。
【００１６】
また、本発明の高速伝送用コネクタは、上記構成の光電変換モジュールを搭載したことを特徴とする。
【発明の効果】
【００１７】
本発明によれば、電気コネクタ、及び、変換手段、並びに、導波路を１枚の回路基板上に搭載することにより、光電変換モジュールを小型に構成できる。また、組立を効率よく行えるとともに、ハウジングなどへの装着も容易に行えるので、生産効率が良く、よって、安価に製造することができる。
【発明を実施するための最良の形態】
【００１８】
〔概略構成〕
図１は本発明の一実施例の斜視図、図２は本発明の一実施例の構成図、図３は本発明の一実施例の分解斜視図、図４は本発明の一実施例のブロック構成図を示す。
【００１９】
本実施例の高速伝送用コネクタ１００は、電気コネクタ１１１、回路基板１１２、導波路アレイ１１３、光ソケットコネクタ１１４をケース１１５及びカバー１１６より構成される筐体１１７内に収納した構成とされている。なお、筐体１１７はシールドケースであり、内蔵される回路をシールドする。
【００２０】
〔電気コネクタ１１１〕
電気コネクタ１１１は、例えば、高速平衡伝送用ソケットコネクタであり、回路基板１１２の一端の一面側に半田付けされ、表面実装される。電気コネクタ１１１には、高速平衡伝送用ケーブルに装着されたプラグコネクタが装着される。電気コネクタ１１１は、高速伝送用ケーブルから供給された電気信号を回路基板１１２に供給するとともに、回路基板１１２からの電気信号を高速平衡伝送用ケーブルに供給する。
【００２１】
〔回路基板１１２〕
図５は回路基板１１２の構成図を示す。
【００２２】
回路基板１１２は、例えば、一枚の多層プリント配線板から構成されており、一面に電気コネクタ１１１及びドライバＩＣ１２１、発光素子１２２、受光素子１２３、レシーバＩＣ１２４、導波路１１３が表面実装され、他面にマイコン１２５、電源回路１２６を構成する各種ＩＣ、チップ部品が表面実装されている。
【００２３】
電気コネクタ１１１は、回路基板１１２の矢印Ｘ１方向の端部に形成されたパッドＰに半田付けされる。パッドＰは平衡伝送路パターンＬを介してドライバＩＣ１２１、レシーバＩＣ１２４、並びに、マイコン１２５、電源回路１２６などに接続されている。なお、このとき、平衡伝送路パターンＬは、スルーホールＨを通して回路基板１１２の中間層を通ってドライバＩＣ１２１、レシーバＩＣ１２４、並びに、マイコン１２５、電源回路１２６などに接続される。
【００２４】
なお、平衡伝送路パターンＬは、回路基板１１２の中間層で経路が調整されている。経路の調整は、例えば、パッドＰからドライバＩＣ１２１までの配線距離及びパッドＰからレシーバＩＣ１２４までの配線距離が略同じになるように調整される。これによって、送信用の複数の平衡伝送路及び受信用の複数の平衡伝送路との間の伝送特性を均一できる。これによって、回路基板１１２で平衡伝送路間の伝送特性を合わせるために調整を行う必要がなくなり、そのための部品点数を削減でき、よって、回路基板１１２を小型化することが可能となる。
【００２５】
図６は回路基板１１２の要部の構成図を示す。
【００２６】
ドライバＩＣ１２１、レシーバＩＣ１２４は、ベアチップから構成されており、回路基板１１２に形成されたパターン１３１に直接ワイヤボンディングされている。
【００２７】
ドライバＩＣ１２１は、発光素子１２２に接続されており、電気コネクタ１１１から供給された信号に応じて発光素子１２２を駆動する。発光素子１２２は、面発光ダイオード（ＶＣＳＥＬ）から構成されており、複数の発光部１３２を有し、この複数の発光部１３２が直線状に配列された構成とされている。発光素子１２２は、複数の発光部１３２が回路基板１１２の所定の軸Ｉ上に配列するように配置される。
【００２８】
また、受光素子１２３は、ＰＤなどであり、複数の受光部１３３を有し、この複数の受光部１３３が直線状に配列され、導波路アレイ１１３から供給された光を電気信号に変換して、レシーバＩＣ１２４に供給する。なお、受光素子１２３は、複数の受光部１３３が回路基板１１２の所定の軸Ｉ上に配列するように配置される。
【００２９】
なお、本実施例では、発光素子１２２の複数の発光部１３２及び受光素子１２３の複数の受光部１３３を軸Ｉ上に一列に配列したが、発光素子１２２の複数の発光部１３２及び受光素子１２３の複数の受光部１３３とは、各々一列に配列されている必要はなく、２列以上、マトリクス状に配列されていてもよい。
【００３０】
レシーバＩＣ１２４は、受光素子１２３から供給される電気信号を増幅して、平衡伝送路パターンＬを通して電気コネクタ１１１に供給する。
【００３１】
ドライバＩＣ１２１は、発光素子１２２に近接して配置されており、所定の軸Ｉの矢印Ｘ１方向側に配置される。レシーバＩＣ１２４は、受光素子１２３に近接して配置されており、所定の軸Ｉの発光ドライバＩＣ１２１が配置される側とは反対側の矢印Ｘ２方向側に配置される。
【００３２】
なお、本実施例では、レイアウト面積、実装面積の低減及び相互間のノイズ対策のため、ドライバＩＣ１２１とレシーバＩＣ１２４とを発光素子１２２及び受光素子１２３を挟んで配置したが、ドライバＩＣ１２１とレシーバＩＣ１２４とを近接、例えば、同じ側に配置するようにしてもよい。ドライバＩＣ１２１とレシーバＩＣ１２４とを近接、例えば、同じ側に配置することにより、伝送距離を同等にできるため、高速平衡伝送路としてはインピーダンス整合などを取りやすくなり、有利となる。
【００３３】
なお、このとき、回路基板１１２には、これらのドライバＩＣ１２１、発光素子１２２、受光素子１２３、レシーバＩＣ１２４に近接して、ドライバＩＣ１２１、発光素子１２２、受光素子１２３、レシーバＩＣ１２４並びに、導波路アレイ１１３を位置決めするための複数の位置決め用マークＭ１、Ｍ２がパターニングされている。
【００３４】
発光素子１２２は、このマークＭ１、Ｍ２及び発光素子１２２を撮像装置によって認識し、マークＭ１、Ｍ２を基準として位置決めされ、回路基板１１２に固定される。また、受光素子１２３及び導波路アレイ１１３は、発光素子１２２の複数の発光部１３２を撮像装置によって認識し、発光素子１２２の複数の発光部１３２を基準として位置決めされる。
【００３５】
これによって、発光素子１２２の複数の発光部１３２及び受光素子１２３の複数の受光部１３３と導波路アレイ１１３の導波路の端面とが互いに対向するように配置することができる。
【００３６】
また、ドライバＩＣ１２１、発光素子１２２、受光素子１２３、レシーバＩＣ１２４は、導波路アレイ１１３の下部に配置されており、導波路アレイ１１３の周囲は、封止樹脂によって、封止される。これによって、ドライバＩＣ１２１、発光素子１２２、受光素子１２３、レシーバＩＣ１２４は、外部から遮蔽されて、ベアチップであっても外部から保護される。
【００３７】
また、電源回路１２６は、他面側のドライバＩＣ１２１、発光素子１２２、受光素子１２３、レシーバＩＣ１２４に対応する位置に配置されている。これによって、ドライバＩＣ１２１、及び、レシーバＩＣ１２４、並びに、マイコン１２５のいずれに対しても近接した距離に配置できる。
【００３８】
なお、マイコン１２５は、ドライバＩＣ１２１、レシーバＩＣ１２４を制御して、通信状態やレーザ出力を調整し、通信の安定化を計っている。
【００３９】
〔導波路アレイ１１３〕
次に、導波路アレイ１１３について説明する。
【００４０】
図７は導波路アレイ１１３の斜視図、図８は導波路アレイ１１３の構成図を示す。
【００４１】
導波路アレイ１１３は、透明樹脂をモールド成形したものであり、主に、導波路本体１４１、鍔部１４２から構成されている。
【００４２】
導波路本体１４１は、底面側、矢印Ｚ１方向側が開口部とされた略凹状の形状とされており、その上面側、矢印Ｚ２方向側が曲面形状に形成されている。導波路本体１４１の上面側曲面には、送信用の複数の導波路１５１及び受信用の複数の導波路１５２が形成されている。曲面形状は、略円柱面上とされており、その曲率は導波路部１５１、１５２から光が外部に漏れない曲率に設定されている。
【００４３】
導波路部１５１、１５２は、複数本の導波路から構成されている。導波路部１５１、１５２を構成する導波路は、各々一端面が回路基板１１２に直交する方向、矢印Ｚ１方向側を向くように形成されており、他端面が回路基板１１２に平行な方向、矢印Ｘ２方向に向くように形成されている。なお、導波路部１５１，１５２を構成する導波路は断面形状が略５０μｍ角程度の正方形状に形成されている。
【００４４】
導波路本体１４１の底面の周縁部には、凸部１５３が３点にわたって形成されている。なお、凸部１５３は、半球状に形成されている。導波路アレイ１１３を回路基板１１２に搭載するときには、回路基板１１２に３つの凸部１５３が当接する。導波路アレイ１１３は３つの半球状の凸部１５３によって回路基板１１２に当接することによって、導波路アレイ１１３と回路基板１１２との接触面積を最小限に留めることができる。これによって、導波路アレイ１１３を回路基板１１２に対して摺動させることができる。したがって、位置決めなどを容易に行える。
【００４５】
また、凸部１５３によって、導波路アレイ１１３を回路基板１１２に搭載した際に、回路基板１１２と導波路アレイ１１３の底面との間に間隙が生じる。この間隙に封止樹脂が封入される。このとき、ドライバＩＣ１２１、発光素子１２２、受光素子１２３、レシーバＩＣ１２４などが封止される。
【００４６】
また、導波路本体１４１の底面の導波路部１５１、１５２の延長上にはレンズ部１５４、１５５が形成されている。レンズ部１５４、１５５は、各々複数のレンズから構成されている。レンズ部１５４のレンズは、その表面形状が球面状をなし、発光素子１２２の発光部１３２から発光した光を集光して、導波路部１５１の導波路の端面に入射させる。また、レンズ部１５５のレンズは、その表面形状が球面状をなし、導波路部１５２を構成する導波路の端面から出射された光を受光素子１２３の受光部１３３に集光させる。
【００４７】
レンズ部１５４は、発光素子１２２の発光部１３２及び受光素子１２３の受光部１３３に対向するように配置される。鍔部１４２は、導波路本体１４１の矢印Ｘ１方向の端部の底面部分から矢印Ｘ１方向に突出して設けられている。鍔部１４２の下部にドライバＩＣ１４２が配置される。
【００４８】
さらに、導波路本体１４１の矢印Ｘ２方向側の側面の導波路１５１、１５２の延長上にレンズ部１５６、１５７が形成されている。レンズ部１５６、１５７は各々複数のレンズから構成されている。
【００４９】
なお、導波路本体１４１の矢印Ｘ２方向側の側面には、レンズ部１５６，１５７の側部に孔部１５８が形成されている。孔部１５８には光通信路の端部に設けられた光コネクタが係合して、光通信路の導波路とレンズ部１５６，１５７の各レンズとが対向するように位置決めが行われる。光通信路の端部に形成された光コネクタは、光コネクタ部１１４に装着されて、筐体１１７に保持される。
【００５０】
レンズ部１５６を構成するレンズは、その表面形状が球面状をなし、導波路部１５１の端面から出射した光を光通信路の端面に集光させる。レンズ部１５７を構成するレンズは、その表面形状が球面状をなし、光通信路の端面から出射した光を導波路部１５２の端面に集光させる。
【００５１】
上記レンズ部１５４、１５５、１５６、１５７によって光の拡散、減衰を防止でき、効率よく通信を行うことができる。
【００５２】
以上、導波路アレイ１１３によって光通信路からの光を回路基板１１２に導入するとともに、回路基板１１２からの光を光通信路に導入することができる。
【００５３】
なお、本実施例では、導波路本体１４１の下部にレシーバＩＣ１２４を配置し、鍔部１４２の下部にドライバＩＣ１２１を配置したが、導波路本体１４１の下部にドライバＩＣ１２１を配置し、鍔部１４２の下部にレシーバＩＣ１２４を配置するようにしてもよい。
【００５４】
また、ドライバＩＣ１２１及びレシーバＩＣ１２４を隣接して配置し、ともに導波路本体１４１又は鍔部１４２の下部に配置するようにしてもよい。
【００５５】
〔実装方法〕
図９は実装システムのブロック構成図を示す。
【００５６】
実装システム２００は、制御装置２１１、撮像装置２１２、実装装置２１３、ステージ２１４から構成されている。
【００５７】
制御装置２１１は、上位装置と通信可能とされており、上位装置からのコマンドによって撮像装置２１２から画像を取得し、取得した画像に基づいて実装装置２１３を駆動して、ステージ２１４上に搭載された回路基板１１２に発光用ドライブＩＣ１２１、発光素子１２２、受光素子１２３、受光用ドライブＩＣ１２４、導波路アレイ１２５を搭載する。
【００５８】
図１０は制御装置２１１の処理フローチャートを示す。
【００５９】
制御装置２１１は、ステージ２１４に回路基板１１２が搭載された状態で、ステップＳ１−１で上位装置から実装指示を受信すると、ステップＳ１−２で撮像装置２１３により回路基板１１２を撮像し、撮像した画像に基づいてマークＭ１、Ｍ２を認識する。制御装置２１１は、撮像した画像に対して２値化などの処理を施し、２値化した画像から画像解析を行いマークＭ１、Ｍ２を認識する。
【００６０】
次に制御装置２１１は、認識したマークＭ１、Ｍ２を基準座標として発光素子１２２の搭載位置を認識し、ステップＳ１−３で実装装置２１２を制御して、発光素子１２２をハンドリングし、ステップＳ１−４、Ｓ１−５で所定の位置に位置決めされるまで発光素子１２２の位置制御を行う。このとき、制御装置２１１は、撮像装置２１３で撮像されている画像を解析して発光素子１２２の形状から発光素子１２２の位置を認識する。
【００６１】
次に制御装置２１１は、ステップＳ１−６で撮像装置２１３により回路基板１１２を撮像し、撮像した画像に基づいて発光素子１２２の複数の発光部１３２を認識する。このとき、制御装置２１１は、撮像装置２１３で撮像されている画像を解析して発光素子１２２の形状及び複数の発光部１３２の形状から発光素子１２２の複数の発光部１３２の位置を認識する。制御装置２１１はステップＳ１−７で実装装置２１２を制御して、受光素子１２３をハンドリングし、ステップＳ１−８、Ｓ１−９で所定の位置に位置決めされるまで受光素子１２３の位置制御を行う。
【００６２】
次に制御装置２１１は、ステップＳ１−１０で撮像装置２１３により回路基板１１２を撮像し、撮像した画像に基づいて発光素子１２２の複数の発光部１３２を認識する。このとき、制御装置２１１は、撮像装置２１３で撮像されている画像を解析して発光素子１２２の形状及び複数の発光部１３２の形状から発光素子１２２の複数の発光部１３２の位置を認識する。制御装置２１１はステップＳ１−１１で実装装置２１２を制御して、受光素子１２３をハンドリングし、ステップＳ１−１２、Ｓ１−１３で所定の位置に位置決めされるまで受光素子１２３の位置制御を行う。
【００６３】
本実施例によれば、撮像装置２１３の撮像画像を解析し、形状からマークＭ１、Ｍ２を認識するとともに、発光素子１２２を認識し、認識したマークＭ１、Ｍ２を基準として発光素子１２２をこの位置決めすることにより、発光素子１２２を回路基板１１２に対して正確に位置決めすることができる。また、回路基板１１２に対して正確に位置決めされた発光素子１２２を撮像装置２１３により撮像し、その撮像画像から発光点である複数の発光部１３２を認識し、認識した複数の発光部１３２を基準として受光素子１２３を位置決めすることにより、発光素子１２３の複数の発光部１３２に対して受光素子１２３を正確に位置決めできる。このため、複数の発光部１３２と受光素子１２３の複数の受光部１３３との位置をより正確に位置決めすることができるようになる。
【００６４】
さらに、回路基板１１２に対して正確に位置決めされた発光素子１２２を撮像装置２１３により撮像し、その撮像画像から発光点である複数の発光部１３２を認識し、認識した複数の発光部１３２を基準として導波路アレイ１１３を位置決めすることにより、発光素子１２３の複数の発光部１３２に対して導波路アレイ１１３の底面に形成されたレンズ部１５４、１５５を正確に位置決めできる。このため、複数の発光部１３２とレンズ部１５４、１５５との位置をより正確に位置決めすることができるようになる。
【００６５】
よって、発光素子１２２の複数の発光部１３２及び受光素子１２３の複数の受光部１３３並びに導波路アレイ１１３の底面に形成されたレンズ部１５４，１５５との位置を正確に位置決めできる。
【００６６】
また、本実施例の実装方法によれば、位置決めの誤差が小さく、比較的精度よく位置決めを行うことができるため、画像認識によって位置決めし、実装を行うことができるため、安価に生産することが可能となる。
【００６７】
なお、導波路アレイ１１３の実装後には、導波路アレイ１１３の周囲を封止樹脂により封止することによりベアチップであるドライバＩＣ１２１、発光素子１２２、受光素子１２３、レシーバＩＣ１２４を導波路アレイ１１３の下部に封止でき、これらの素子、ＩＣを保護できる。
【００６８】
なお、本実施例では、伝送路は送信用４系統、受信用４系統の光電変換モジュールを例に説明を行ったが、これに限定されるものではなく、伝送路１系統、あるいは、それ以上であってもよく、伝送路の系統数には何ら制約を受けるものではない。
【００６９】
本発明は上記実施例に限定されるものではなく、本発明の要旨を逸脱しない範囲で種々の変形例が考えられることは言うまでもない。
【図面の簡単な説明】
【００７０】
【図１】本発明の一実施例の斜視図である。
【図２】本発明の一実施例の構成図である。
【図３】本発明の一実施例の分解斜視図である。
【図４】本発明の一実施例のブロック構成図である。
【図５】回路基板１１２の構成図である。
【図６】回路基板１１２の要部の構成図である。
【図７】導波路アレイ１１３の斜視図である。
【図８】導波路アレイ１１３の構成図である。
【図９】実装システムのブロック構成図である。
【図１０】制御装置２１１の処理フローチャートである。
【符号の説明】
【００７１】
１００  高速伝送用コネクタ
１１１  電気コネクタ、１１２  回路基板、１１３  導波路アレイ
１２１  発光用ドライブＩＣ、１２２  発光素子、１２３  受光素子
１２４  受光用ドライブＩＣ、１２５  マイコン、１２６  電源回路
１３１  パターン、１３２  発光部、１３３  受光部
１４１  導波路本体、１４２  鍔部
１５１、１５２  導波路、１５３  凸部、１５４、１５５、１５６、１５７  レンズ部
２００  実装システム
２１１  制御装置、２１２  撮像装置、２１３  実装装置、２１４  ステージ
【図１】
2008015264.tif 000003
【図２】
2008015264.tif 000004
【図３】
2008015264.tif 000005
【図４】
2008015264.tif 000006
【図５】
2008015264.tif 000007
【図６】
2008015264.tif 000008
【図７】
2008015264.tif 000009
【図８】
2008015264.tif 000010
【図９】
2008015264.tif 000011
【図１０】
2008015264.tif 000012